(57)【要約】  【課題】自動販売機の商品収納庫間の熱ロスによる消費電力量の増加を防止する。  【解決手段】商品収納室１０を断熱仕切板４１，４２仕切ることにより、商品を決められた温度状態に保持して収容する複数の商品収容庫３３ａ、３３ｂ、３３ｃと、前記断熱仕切板４１，４２は背面側で商品収納庫３３ｂの内側で遮断シート５０により連結されることにより、隣接する商品収納庫３３ａ、３３ｂ、３３ｃ間は完全に遮断され、冷気、あるいは暖気が流れてしまい熱移動が生じてしまうこともなく、自動販売機の消費電力量が増大することは無くなる。【選択図】図３
2010061184.tif 000002
【特許請求の範囲】
【請求項１】
前面に開口を有する自動販売機本体の内壁面に配設された断熱部材で内面が形成された商品収納室を備え、前記商品収納室を複数の断熱仕切板で仕切ることにより、複数の商品収容庫が並設された自動販売機において、前記複数の断熱仕切板は前記商品収納室の背面側で遮断シートにより連結したことを特徴とする自動販売機。
【請求項２】
前記遮断シートと背面断熱部材間に圧縮可能な遮断材を備えたことを特徴とする請求項１に記載の自動販売機。
【請求項３】
前記遮断シートは断熱仕切板に挟まれた商品収容庫の内側に取付けたことを特徴とする請求項１または２に記載の自動販売機。
【請求項４】
前記遮断シートは断熱性を有する折り曲げ可能な構造としたことを特徴とする請求項１から３のいずれか一項に記載の自動販売機。
【発明の詳細な説明】
【技術分野】
【０００１】
本発明は、缶、ビン、パック、ペットボトル等の容器に入れた飲料等の商品を冷却、もしくは加熱して販売に供する自動販売機に関する。
【背景技術】
【０００２】
従来、この種の自動販売機は、前面に開口を有する自動販売機本体の内壁面に、それぞれの面方向に沿って配設された断熱部材により内面が形成された商品収納室を備えている（例えば、特許文献１参照）。
【０００３】
図４は、前記公報に記載された従来の自動販売機における商品収納室の分解斜視図である。図４に示すように、商品収納室３００は、自動販売機本体である本体キャビネット１００の内部において、天井部３１０ａ、底部３１０ｂ、背面部３１０ｃ、両側面部３１０ｄ、３１０ｅにより囲繞されて形成されている。この商品収納室３００は、本体キャビネット１００と同様に前面に開口を有している。商品収容室３００の前面開口は、前記前面開口を覆うのに十分な大きさを有し、かつ断熱構造を有する内扉（図示せず）により開閉可能になっている。前記商品収納室３００は、例えば二つの断熱仕切板４１０、４２０を前面開口から進入させて仕切ることにより、三つの商品収納庫が並設されている。本体キャビネット背壁面と断熱部材背面部３１０ｃとの間に、直方状のクッション材３７０を介在させ断熱部材背面部３１０ｃを前方に常時付勢して背面部の隙間の発生を防止している。これら商品収納庫は、商品を決められた温度状態に保持して収容するものであり、収容された商品を冷却するための商品冷却庫として、あるいは収容された商品を加温するための商品加温庫として、それぞれの商品収納庫に配設された冷却／加温ユニットにより運転される。
【特許文献１】特開２００５−７８２７６号公報
【発明の開示】
【発明が解決しようとする課題】
【０００４】
しかしながら、前記従来の構成では、本体キャビネット１００背面が経時変化でのたわみや、断熱仕切板４１０，４２０の寸法誤差によりクッション材３７０の付勢の効果が失われた状態で断熱材背面部３１０ｃの前面（内表面）と断熱仕切板４１０、４２０の間に隙間が生じてしまうことがある。このような隙間が生じると、断熱仕切板４１０、４２０を介して隣接する商品収容庫間で冷気、あるいは暖気が流れてしまい、これらの商品収容庫間で熱移動が生じてしまうこととなる。これでは、隣接する商品収容庫間で大きな熱ロスが発生してしまい、自動販売機の消費電力量が増大するという課題を有していた。
【０００５】
本発明は、前記従来の課題を解決するもので、各商品収容庫の気密性を十分確保しながら、自動販売機の消費電力量の低減を図れる自動販売機を提供することを目的とする。
【課題を解決するための手段】
【０００６】
前記従来の課題を解決するために、本発明の自動販売機は、前面に開口を有する自動販売機本体の内壁面に配設された断熱部材で内面が形成された商品収納室を備え、前記商品収納室を複数の断熱仕切板で仕切ることにより、複数の商品収容庫が並設された自動販売機において、前記複数の断熱仕切板は前記商品収納室の背面側で遮断シートにより連結したものである。
【０００７】
これによって、隣接する商品収納庫間での冷気、あるいは暖気の熱移動が確実に防止でき、自動販売機の消費電力量を低減することができる。
【発明の効果】
【０００８】
本発明の自動販売機は、隣接する商品収納庫間の空気の流れを遮断できるので、隣接する商品収納庫間での冷気、あるいは暖気の熱移動が確実に防止でき、自動販売機の消費電力量を低減することができ、省エネを図ることができる。
【発明を実施するための最良の形態】
【０００９】
請求項１に記載の発明は、前面に開口を有する自動販売機本体の内壁面に配設された断熱部材で内面が形成された商品収納室を備え、前記商品収納室を複数の断熱仕切板で仕切ることにより、複数の商品収容庫が並設された自動販売機において、前記複数の断熱仕切板は前記商品収納室の背面側で遮断シートにより連結したものであり、隣接する商品収納庫間の空気の流れを遮断できるので、隣接する商品収納庫間での冷気、あるいは暖気の熱移動が確実に防止でき、自動販売機の消費電力量を低減することができ、省エネを図ることができる。
【００１０】
請求項２に記載の発明は、請求項１に記載の発明において、前記遮断シートと背面断熱部材間に圧縮可能な遮断材を備えたものであり、遮断シートの背面に冷気、あるいは暖気が回りこんだ状態を生じることが無く、熱ロスを低減でき、自動販売機の消費電力量の増加を防止できる。
【００１１】
請求項３に記載の発明は、請求項１または２に記載の発明において、前記遮断シートは断熱仕切板に挟まれた商品収容庫の内側に取付けたものであり、遮断シート自体を伝わる熱ロスを低減でき、さらに自動販売機の消費電力量の増加を防止できる。
【００１２】
請求項４に記載の発明は、請求項１から３のいずれか一項に記載の発明において、前記遮断シートは断熱性を有する折り曲げ可能な構造としたものであり、前記断熱シートの背面に冷気、あるいは暖気が回りこんだ状態でも断熱を行い、自動販売機の消費電力量の増加を防止できる。また、作業性も高めることができる。
【００１３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１４】
（実施の形態１）
図１は、本発明の実施の形態１における自動販売機の分解斜視図である。図２は、本発明の実施の形態１における自動販売機の側面断面図である。図３は、本発明の実施の形態１における自動販売機の平面断面図である。
【００１５】
本体キャビネット１０は、前面が開口した直方状の形態を有し、たとえば板金から形成したものである。この本体キャビネット１０には、大きさの異なる二つの直方状の凹部が形成してある。これらの凹部のうち、上方側の第一凹部１１は商品収納室３０を形成するための領域であり、下方側の第二凹部１２は、コンプレッサー等を含む冷却装置６０を配置するための機械室を形成する領域である。
【００１６】
外扉２０は、本体キャビネット１０の前面開口を覆うに十分な大きさを有したもので、鋼材により堅牢に形成してある。この外扉２０は、本体キャビネット１０の前面開口を開閉可能にするもので前記本体キャビネット１０の前面の一端に支持されている。また、図には明示していないが、外扉２０の表面側には、商品見本を展示する展示室と、展示した商品を選択する選択ボタンと、硬貨を投入する硬貨投入口と、紙幣を投入する紙幣投入口と、商品を取り出すための商品取出口と、硬貨を返却する硬貨返却口とが配設してある。更に、外扉２０の裏面側には、自動販売機を制御する制御基板と、硬貨投入口から硬貨を受け入れて釣銭を硬貨返却口に放出する硬貨処理装置と、紙幣投入口から紙幣を受け入れる紙幣処理装置とが配設してある。
【００１７】
商品収納室３０は、その内部に商品を収納するためのものであり、本体キャビネット１０の内部に設けてある。商品収納室３０は、断熱部材である天井部３１ａ、底部３１ｂ、背面部３１ｃ、両側面部３１ｄ、３１ｅにより囲繞されて形成されている。
【００１８】
断熱部材の天井部３１ａ、底部３１ｂ、背面部３１ｃ、両側面部３１ｄ、３１ｅは、それぞれパネル状の形状を有しており、例えばウレタン樹脂等の発泡体を基材として、この基材の表面にポリエチレンテレフタレート（ＰＥＴ）等の表面材が形成されたものである。各断熱部材間の総合結合部位は、例えばシリコーン樹脂等のシール材で接合してある。このように、商品収納室３０は、本体キャビネット１０の第一凹部１１の内部において、第一凹部１１の形状に対応して直方状の形状を有し、天井部３１ａ、底部３１ｂ、背面部３１ｃ、両側面部３１ｄ、３１ｅのより囲繞されて内面が形成してある。
【００１９】
このような商品収納室３０は、本体キャビネット１０（第一凹部１１）と同様に前面に開口を有している。また、本体キャビネット１０の前面部の一側には、外扉２０とは別体にした内扉２１が設けてある。内扉２１は、商品収納室３０の前面開口を覆うに十分な大きさであり断熱構造を有している。ただし、内扉２１は外扉２０と同一の構成でも構わない。
【００２０】
また、商品収納室３０には、例えば二つの断熱仕切板４１、４２を前面開口から進入させて仕切ることにより、三つの商品収納庫３３ａ，３３ｂ、３３ｃが並設される。断熱仕切板４１，４２は、商品収納庫３３ｂを形成する側面の背面側で遮断シート５０のそれぞれ一端と接着剤等によりシール性を有した状態で商品収納庫の全高に亘って連結されている。遮断シート５０は、断熱性を有し、折り曲げ可能な例えばポリエチレンフォーム等である。このとき、遮断シート５０の材料はこれに限定するものではない。
【００２１】
また、遮断材５１は、遮断シート５０と背面部３１ｃ間に圧縮された状態で配設されている。
【００２２】
商品収納庫３３ａ，３３ｂ、３３ｃの下部には冷却するための冷却器６１と、加温するための加温装置６２がそれぞれ配設されている。
【００２３】
以上のように構成された自動販売機について、以下その動作、作用を説明する。
【００２４】
図３より、断熱仕切板４１，４２は、商品収納庫３３ｂを形成する側面の背面側で遮断シート５０のそれぞれ一端と接着剤等によりシール性を有した状態で連結されており、空気の対流を遮断するこができる。これにより、断熱仕切板４１を介して隣接する商品収納庫（商品冷却庫）３３ａと商品収納庫（商品加温庫）３３ｂとの間で冷気、あるいは暖気が流れることはなく、断熱仕切板４２を介して隣接する商品収納庫（商品加温庫）３３ｂと商品収納庫（商品冷却庫）３３ｃとの間で冷気、あるいは暖気が流れることはない。
【００２５】
また、遮断シート５０は、商品収納庫（商品加温庫）３３ｂの内側に取り付けられているため、遮断シート５０による商品収納庫（商品冷却庫）３３ａ及び商品収納庫（商品冷却庫）３３ｃからの熱伝導も防止できる。
【００２６】
遮断シート５０と背面部３１ｃ間に遮断材５１を圧縮された状態で配設されており、遮断シート５０と背面部３１ｃ間に冷気、あるいは暖気が対流することがなく、遮断シート５０を介して熱伝導によるロスも発生しない。さらに、万が一、本体キャビネット１０背面が経時変化でのたわみや、断熱仕切板４１，４２の寸法誤差により遮断材５１の圧縮が損なわれ遮断シート５０と背面部３１ｃ間に冷気、あるいは暖気が対流した場合にも、遮断シート５０に断熱性を有しており熱ロスを最小限に抑えることが可能となる。
【００２７】
よって、これらの商品収納庫３３ａ、３３ｂ、３３ｃの間での熱移動を最小限にでき、商品収納庫（商品冷却庫）３３ａ及び商品収納庫（商品冷却庫）３３ｃでの冷却運転に要する電力と、商品収納庫（商品加温庫）３３ｂの加温運転にようする電力が必要最小限にすることができる。従って、自動販売機全体での消費電力量の低減を図ることができる。
【産業上の利用可能性】
【００２８】
以上のように、本発明にかかる自動販売機は、例えば缶入り飲料、瓶入り飲料、紙パック入り飲料およびペットボトル入り飲料等の各種商品を冷却した状態、あるいは加温した状態で販売に有用である。
【図面の簡単な説明】
【００２９】
【図１】本発明の実施の形態１における自動販売機の分解斜視図
【図２】本発明の実施の形態１における自動販売機の側断面図
【図３】本発明の実施の形態１における自動販売機の平面断面図
【図４】従来の自動販売機の分解斜視図
【符号の説明】
【００３０】
１０  本体キャビネット
２０  外扉
３０  商品収納室
３１ａ  天井部（断熱部材）
３１ｂ  底部（断熱部材）
３１ｃ  背面部（断熱部材）
３１ｄ，３１ｅ  両側面部（断熱部材）
３３ａ，３３ｂ，３３ｃ  商品収納庫
４１，４２  断熱仕切板
５０  遮断シート
５１  遮断材
【図１】
2010061184.tif 000003
【図２】
2010061184.tif 000004
【図３】
2010061184.tif 000005
【図４】
2010061184.tif 000006